(57)【要約】【課題】低コストで利便性の高い電子機器、及び電子機器の制御方法を提供する。【解決手段】一実施形態に係る電子機器は、ストリームの録画処理を行う録画処理部と、光を発する光源を備えるインジケータと、映像を表示するディスプレイと、少なくとも前記インジケータの動作を制御する制御部と、を具備する電子機器であって、前記制御部は、前記電子機器が前記ディスプレイによる表示を行う動作状態である場合、前記インジケータを第１の色で点灯させ、前記電子機器が前記ディスプレイによる表示を行わない第１の待機状態である場合、前記インジケータを第２の色で点灯させ、前記電子機器が前記第１の待機状態であり、且つ前記録画処理部により録画処理が行われている場合、前記インジケータを第３の色で点灯させる。【選択図】      図２
2013223006.tif 000002
【特許請求の範囲】
【請求項１】
ストリームの録画処理を行う録画処理部と、光を発する光源を備えるインジケータと、映像を表示するディスプレイと、少なくとも前記インジケータの動作を制御する制御部と、を具備する電子機器であって、
前記制御部は、
前記電子機器が前記ディスプレイによる表示を行う動作状態である場合、前記インジケータを第１の色で点灯させ、
前記電子機器が前記ディスプレイによる表示を行わない第１の待機状態である場合、前記インジケータを第２の色で点灯させ、
前記電子機器が前記第１の待機状態であり、且つ前記録画処理部により録画処理が行われている場合、前記インジケータを第３の色で点灯させる、
電子機器。
【請求項２】
リモートコントローラから送信された操作信号を受信する受光部をさらに具備し、
前記制御部は、前記電子機器が前記ディスプレイによる表示を行わず前記受光部が動作しない第２の待機状態であり、且つ前記録画処理部により録画処理が行われている場合、前記インジケータを前記第３の色で点灯させる、
請求項１に記載の電子機器。
【請求項３】
録画処理部は、予め設定された予約録画設定に応じて録画処理を開始する予約録画部をさらに具備し、
前記制御部は、前記電子機器が前記第２の待機状態であり、且つ前記予約録画部により録画処理が開始された場合、前記インジケータを前記第３の色で点灯させる、
請求項２に記載の電子機器。
【請求項４】
前記制御部は、前記インジケータを前記第３の色で点灯させた状態で前記電子機器の電源をＯＮする操作信号が入力された場合、前記ディスプレイによる表示を行わせるように前記ディスプレイを制御する、請求項２または３に記載の電子機器。
【請求項５】
前記制御部は、
前記電子機器が前記第１の待機状態であり、且つ前記録画処理部による録画処理が完了した場合、前記インジケータを前記第３の色から前記第２の色に切り替える、
請求項１に記載の電子機器
【請求項６】
前記制御部は、
前記電子機器が前記第２の待機状態であり、且つ前記録画処理部による録画処理が完了した場合、前記インジケータを前記第３の色から消灯状態に切り替える、
請求項２乃至請求項４のいずれかに記載の電子機器。
【請求項７】
ストリームの録画処理を行う録画処理部と、光を発する光源を備えるインジケータと、を具備する電子機器であって、
前記電子機器がディスプレイによる映像表示を行う動作状態である場合、前記インジケータを第１の色で点灯させ、
前記電子機器が前記ディスプレイによる表示を行わない第１の待機状態である場合、前記インジケータを第２の色で点灯させ、
前記電子機器が前記第１の待機状態であり、且つ前記録画処理部により録画処理が行われている場合、前記インジケータを第３の色で点灯させる、
よう制御する制御部を備える電子機器。
【請求項８】
ストリームの録画処理を行う録画処理部と、光を発する光源を備えるインジケータと、映像を表示するディスプレイと、を具備する電子機器の制御方法であって、
前記電子機器が前記ディスプレイによる表示を行う動作状態である場合、前記インジケータを第１の色で点灯させ、
前記電子機器が前記ディスプレイによる表示を行わない第１の待機状態である場合、前記インジケータを第２の色で点灯させ、
前記電子機器が前記第１の待機状態であり、且つ前記録画処理部により録画処理が行われている場合、前記インジケータを第３の色で点灯させる、
電子機器の制御方法。
【発明の詳細な説明】
【技術分野】
【０００１】
本発明の実施形態は、電子機器、及び電子機器の制御方法に関する。
【背景技術】
【０００２】
近年、機器のほぼ全ての機能部が動作可能な動作状態と、主たる機能部は動作せずリモコン等からの特定の操作入力に対する応答や計時などの限定的な動作のみが有効となる待機状態とを有する電子機器が広く普及している。
【０００３】
また、電子機器の状態を示す表示器（インジケータ）を備える電子機器が一般的に普及している。
【先行技術文献】
【特許文献】
【０００４】
【特許文献１】特開２００６−４８８７３号公報
【発明の概要】
【発明が解決しようとする課題】
【０００５】
また、上記のようなインジケータを備える電子機器として、例えばコンテンツの録画及びダビングなどが可能なテレビなどが一般的に普及している。従来のテレビは、録画またはダビングの処理の間、インジケータを点灯させることにより、テレビが録画またはダビングの処理を行っていることをユーザに通知することができる。
【０００６】
しかし、コストを鑑み、インジケータの数を減らしたいという需要がある。この為、テレビが録画またはダビングの処理を行っていることをユーザに通知できない可能性があるという課題がある。
【０００７】
そこで、低コストで利便性の高い電子機器、及び電子機器の制御方法を提供することを目的とする。
【課題を解決するための手段】
【０００８】
一実施形態に係る電子機器は、ストリームの録画処理を行う録画処理部と、光を発する光源を備えるインジケータと、映像を表示するディスプレイと、少なくとも前記インジケータの動作を制御する制御部と、を具備する電子機器であって、前記制御部は、前記電子機器が前記ディスプレイによる表示を行う動作状態である場合、前記インジケータを第１の色で点灯させ、前記電子機器が前記ディスプレイによる表示を行わない第１の待機状態である場合、前記インジケータを第２の色で点灯させ、前記電子機器が前記第１の待機状態であり、且つ前記録画処理部により録画処理が行われている場合、前記インジケータを第３の色で点灯させる。
【図面の簡単な説明】
【０００９】
【図１】図１は、一実施形態に係る放送受信装置について説明する為の図である。
【図２】図２は、一実施形態に係る放送受信装置について説明する為の図である。
【図３】図３は、一実施形態に係る放送受信装置について説明する為の図である。
【発明を実施するための形態】
【００１０】
以下、図を参照しながら、一実施形態に係る電子機器、及び電子機器の制御方法について詳細に説明する。
【００１１】
図１は、一実施形態に係る電子機器としての放送受信装置１００の外観の例を示す。  
放送受信装置１００は、映像を表示するディスプレイ（表示部１３４）が設けられる本体１０１と、この本体１０１を自立可能な状態で支える脚部１０２とを供える。また、本体１０１には、点灯部（インジケータ）１６０、受光部１６２、及びスピーカ１２２などが設けられている。また、本体１０１には、放送受信装置１００の電源状態を切り替えるための電源スイッチが設けられている。
【００１２】
図２は、一実施形態に係る放送受信装置１００の例を示す。  
放送受信装置１００は、チューナ１１１、復調部１１２、信号処理部１１３、音声処理部１２１、映像処理部１３１、表示処理部１３３、制御部１５０、インジケータ１６０、操作部１６１、受光部１６２、ストレージ１７０、及び電源部１８０などを備える。また、放送受信装置１００は、さらにスピーカ１２２及びディスプレイ１３４を備える。
【００１３】
チューナ１１１は、ディジタル放送信号用のチューナである。チューナ１１１は、例えばアンテナ１１０により受信されるディジタル放送信号を受信する。チューナ１１１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信する。チューナ１１１は、受信したディジタル放送信号のチューニング（選局）を行う。チューナ１１１は、チューニングしたディジタル放送信号を復調部１１２に送信する。
【００１４】
復調部１１２は、受信するディジタル放送信号の復調を行う。復調部１１２は、復調したディジタル放送信号を信号処理部１１３に入力する。
【００１５】
信号処理部１１３は、ディジタル放送信号に対して信号処理を施す信号処理手段として機能する。信号処理部１１３は、復調部１１２から供給されるディジタル放送信号（ストリーム）に、信号処理を施す。即ち、信号処理部１１３は、ディジタル放送信号を映像信号、音声信号、及びその他のデータ信号に分離する。信号処理部１１３は、音声処理部１２１に音声信号を供給する。また、信号処理部１１３は、映像処理部１３１に映像信号を供給する。
【００１６】
音声処理部１２１は、信号処理部１１３から受信したディジタル音声信号を、スピーカ１２２により再生可能なフォーマットの信号（オーディオ信号）に変換する。音声処理部１２１は、オーディオ信号をスピーカ１２２に供給する。スピーカ１２２は、供給されるオーディオ信号に基づいて音声を再生する。
【００１７】
映像処理部１３１は、信号処理部１１３から受信した映像信号を、ディスプレイ１３４で再生可能なフォーマットの映像信号に変換する。即ち、映像処理部１３１は、信号処理部１１３から受信した映像信号を、ディスプレイ１３４で再生可能なフォーマットの映像信号にデコード（再生）する。映像処理部１３１は、映像信号を表示処理部１３３に出力する。
【００１８】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００１９】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００２０】
なお、放送受信装置１００は、ディスプレイ１３４の代わりに、映像出力端子を備える構成であってもよい。この場合、表示処理部１３３は、画質調整を施した映像信号を映像出力端子から出力する。これにより、映像出力端子に接続された表示機器が映像信号を受け取り、表示することができる。また、放送受信装置１００は、スピーカ１２２の代わりに、音声出力端子を備える構成であってもよい。
【００２１】
制御部１５０は、放送受信装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作部１６１から供給される操作信号に基づいて、種々の処理を行う。
【００２２】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００２３】
ＲＯＭ１５２は、放送受信装置１００を制御する為のプログラム、及び各種の機能を実現する為のプログラムなどを記憶する。ＣＰＵ１５１は、操作部１６１から供給される操作信号に基づいて、ＲＯＭ１５２に記憶されているプログラムを起動する。これにより、制御部１５０は、各部の動作を制御する。
【００２４】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００２５】
ＥＥＰＲＯＭ１５４は、各種の設定情報、及びプログラムなどを記憶する不揮発性メモリである。
【００２６】
インジケータ１６０は、放送受信装置１００の動作の状態を示す表示器である。インジケータ１６０は、例えば、ＬＥＤ、有機ＥＬ素子、または他の光源を備える。例えば、インジケータ１６０は、第１の色（例えば緑色）で点灯する光源と、第２の色（例えば赤色）で点灯する光源とを備える。インジケータ１６０は、第１の色の光源と、第２の色の光源とを発光させることにより、第１の色、第２の色、及び第１の色と第２の色とが合成された第３の色（例えば橙色）のいずれかの色の光を放出する。
【００２７】
また、制御部１５０は、インジケータ１６０の動作を制御するインジケータ制御部１５５をさらに備える。インジケータ制御部１５５及びインジケータ１６０の動作については後述する。
【００２８】
操作部１６１は、例えば、操作キー、キーボード、マウス、タッチパッドまたは操作入力に応じて操作信号を生成する事ができる他の入力装置などを備える入力手段である。例えば、操作部１６１は、操作入力に応じて操作信号を生成する。操作部１６１は、生成した操作信号を制御部１５０に供給する。
【００２９】
なお、タッチパッドは、静電センサ、サーモセンサ、または他の方式に基づいて位置情報を生成するデバイスを含む。また、操作部１６１は、ディスプレイ１３４と一体に形成されるタッチパネルなどを備える構成であってもよい。
【００３０】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてＡ／Ｄ変換を行うことにより、リモコン１６３から送信された元の操作信号を復号する。
【００３１】
リモートコントローラ１６３は、ユーザの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００３２】
ストレージ１７０は、例えば、ハードディスクドライブ（ＨＤＤ）、ソリッドステイトドライブ（ＳＳＤ）、または半導体メモリなどの記憶装置を備える。ストレージ１７０に動画のストリームが記憶されている場合、放送受信装置１００は、ストレージ１７０に記憶されているストリームを再生することができる。
【００３３】
また、放送受信装置１００は、ストレージ１７０に放送信号、光ディスク、またはネットワークなどにより供給されたストリームを記憶することができる。即ち、放送受信装置１００の制御部１５０は、コンテンツのストリームをストレージ１７０に保存するように信号処理部１１３、及びストレージ１７０を制御する。この場合、制御部１５０は、録画処理部として機能する。
【００３４】
さらに、放送受信装置１００は、他の記憶装置に記憶されているストリームをストレージ１７０にダビング（コピーまたはムーブ）することができる。さらに、放送受信装置１００は、ストレージ１７０に記憶されているストリームを他の記憶装置にダビングすることができる。
【００３５】
電源部１８０は、放送受信装置１００の各部への電力の供給を制御する。電源部１８０は、例えば、電源プラグなどを介して商用電源などから電力を受け取る。電源部１８０は、商用電源から交流の電力を受け取り、受け取った交流の電力を直流に変換し放送受信装置１００の各部へ供給する。
【００３６】
また、電源部１８０は、放送受信装置１００の電源状態を切り替えるための電源スイッチ１８１を備える。上記したように、電源スイッチ１８１は、外部から操作可能な状態で放送受信装置１００上に設けられている。電源部１８０は、電源スイッチ１８１、またはリモートコントローラ１６３からの操作信号に応じて、放送受信装置１００の電源状態を切り替える。
【００３７】
放送受信装置１００の電源状態は、通常の動作状態、待機状態、電源ＯＦＦ状態などがある。放送受信装置１００が動作状態である場合、電源部１８０は、放送受信装置１００のチューナ１１１、復調部１１２、及び信号処理部１１３などの信号処理系、並びに音声処理部１２１、スピーカ１２２、映像処理部１３１、表示処理部１３３、及びディスプレイ１３４などの出力系、並びに制御部１５０などの制御系に電力を供給する。
【００３８】
これにより、上記の信号処理系及び出力系の各部は、電源部１８０により供給された電力により動作することができる。即ち、放送受信装置１００が動作状態である場合、放送受信装置１００は、ディスプレイ１３４に映像を表示させ、且つ、スピーカ１２２に音声を再生させることができる。
【００３９】
さらに、放送受信装置１００は、動作状態において、ストレージ１７０に電力を供給し、ストリームの録画処理をストレージ１７０に行わせることができる。この場合、放送受信装置１００は、動作状態であり、且つ録画処理実行中の状態となる。なお、この録画処理は、受信したコンテンツのストリームをストレージ１７０に記録する処理（レコード）、ストレージ１７０に保存されているストリームを他の記憶装置にコピーまたはムーブする処理（ダビング）、及び他の記憶装置に保存されているストリームをストレージ１７０にコピーまたはムーブする処理（ダビング）のいずれかを示す。
【００４０】
なお、レコードの対象となるストリームは、受信手段により受信したストリーム、光ディスクドライブから供給されたストリーム、ＬＡＮコネクタなどからネットワーク経由で供給されたストリーム、ＨＤＭＩ端子またはＵＳＢコネクタなどにより接続された機器から供給されたストリーム、メモリカードなどから供給されたストリームなど、如何なるものであってもよい。
【００４１】
また、ダビングの対象となるストリームは、ストレージ１７０に記憶されているストリーム、または放送受信装置１００になんらかの手段により接続されている機器に記憶されているストリームなど、如何なるものであってもよい。
【００４２】
また、放送受信装置１００が待機状態（第１の待機状態）である場合、電源部１８０は、制御系に電力を供給し、信号処理系及び出力系には電力を供給しない。この場合、放送受信装置１００は、映像の表示及び音声の再生を行わない。なお、電源部１８０は、操作部１６１、及び受光部１６２などに電力を供給する。これにより、放送受信装置１００は、操作部１６１による操作入力、またはリモートコントローラ１６３から送信された操作信号を受け取ることができる。
【００４３】
また、放送受信装置１００が待機状態である場合、制御部１５０は、操作入力に応じて録画処理を実行することができる。待機状態中に録画処理を実行する場合、制御部１５０は、信号処理系及びストレージ１７０に電力を供給するように電源部１８０を制御する。これにより、制御部１５０は、待機状態中に放送受信装置１００に録画処理を実行させることができる。
【００４４】
また、放送受信装置１００が電源ＯＦＦ状態（第２の待機状態）である場合、電源部１８０は、制御系の最小限の構成に電力を供給し、他の構成には電力を供給しない。この場合、放送受信装置１００は、映像の表示及び音声の再生を行わない。また、この場合、受光部１６２に電力が供給されない為、放送受信装置１００は、リモートコントローラ１６３から送信された操作信号を受け取ることができない。従って例えば、この状態でリモートコントローラ１６３から電源のＯＮの操作信号が入力された場合であっても、電源がＯＮにはならない。
【００４５】
放送受信装置１００が待機状態または電源ＯＦＦ状態である場合、制御部１５０は、予約録画などの機能により、録画処理を実行することができる。制御部１５０は、ＲＯＭ１５２またはＥＥＰＲＯＭ１５４に格納されているプログラムをＣＰＵ１５１に実行させることにより、予約録画の機能を実現することができる。即ち、制御部１５０は、予め設定された時刻及びチャンネル、予め設定された放送コード、または予め設定されたキーワードなどの予約録画設定に該当するコンテンツを受信した場合に、録画処理を開始することができる。この場合、制御部１５０は、予約録画部として機能する。
【００４６】
例えば、待機状態または電源ＯＦＦ状態から録画処理を開始する場合、制御部１５０は、信号処理系及びストレージ１７０に電力を供給するように電源部１８０を制御する。これにより、制御部１５０は、待機状態または電源ＯＦＦ状態中であっても放送受信装置１００に録画処理を実行させることができる。
【００４７】
さらに、電源ＯＦＦ状態から録画処理を開始した場合、制御部１５０は、受光部１６２にも電力を供給するようにを電源部１８０を制御する。これにより、制御部１５０は、リモートコントローラ１６３からの操作信号を受け取ることができる。
【００４８】
図３は、放送受信装置１００の各状態におけるインジケータ１６０の動作の例を示す。  
第１の状態３０１は、放送受信装置１００が通常の動作状態であることを示す。第２の状態３０２は、放送受信装置１００が待機状態（第１の待機状態）であることを示す。第３の状態３０３は、放送受信装置１００が電源ＯＦＦ状態（第２の待機状態）状態である。また、第４の状態３０４は、放送受信装置１００が通常の動作状態であり、且つ録画処理中であることを示す。また、第５の状態３０５は、放送受信装置１００が第１の待機状態であり、且つ録画処理中であることを示す。また、第６の状態３０６は、放送受信装置１００が第２の待機状態であり、且つ録画処理中であることを示す。
【００４９】
制御部１５０のインジケータ制御部１５５は、放送受信装置１００が第１の状態３０１である場合、インジケータ１６０を第１の色（緑色）で点灯させる。
【００５０】
放送受信装置１００が第１の状態３０１であり、リモートコントローラ１６３から電源のＯＮ／ＯＦＦの操作信号が入力された場合、制御部１５０は、放送受信装置１００が第２の状態３０２になるように電源部１８０及び他の各部を制御する。即ち、放送受信装置１００が第１の状態３０１であり、リモートコントローラ１６３の電源ボタンが押下された場合、制御部１５０は、放送受信装置１００を第１の待機状態に移行させる。
【００５１】
インジケータ制御部１５５は、放送受信装置１００が第２の状態３０２である場合、インジケータ１６０を第２の色（赤色）で点灯させる。
【００５２】
なお、放送受信装置１００が第２の状態３０２であり、リモートコントローラ１６３から電源のＯＮ／ＯＦＦの操作信号が入力された場合、制御部１５０は、放送受信装置１００を第１の状態３０１に移行させるように電源部１８０及び他の各部を制御する。
【００５３】
また、放送受信装置１００が第１の状態３０１であり、操作信号または予約録画の設定に従って録画処理を開始する場合、制御部１５０は、放送受信装置１００を第４の状態３０４に移行させる。インジケータ制御部１５５は、放送受信装置１００が第４の状態３０４である場合、インジケータ１６０を第１の色（緑色）で点灯させる。なお、制御部１５０は、録画処理が完了した場合、放送受信装置１００を第４の状態３０４から第１の状態３０１に戻す。
【００５４】
放送受信装置１００が第１の状態３０１または第２の状態３０２であり、電源スイッチ１８１が押下された場合、制御部１５０は、放送受信装置１００が第３の状態３０３になるように電源部１８０及び他の各部を制御する。即ち、放送受信装置１００が第１の状態３０１であり、電源スイッチ１８１が押下された場合、制御部１５０は、放送受信装置１００を第２の待機状態に移行させる。
【００５５】
インジケータ制御部１５５は、放送受信装置１００が第３の状態３０３である場合、インジケータ１６０を消灯させる。
【００５６】
また、放送受信装置１００が第３の状態３０３または第２の状態３０２であり、電源スイッチ１８１が押下された場合、制御部１５０は、放送受信装置１００が第１の状態３０１になるように電源部１８０及び他の各部を制御する。
【００５７】
また、放送受信装置１００が第２の状態３０２であり、操作信号または予約録画の設定に従って録画処理を開始する場合、制御部１５０は、放送受信装置１００を第５の状態３０５に移行させる。インジケータ制御部１５５は、放送受信装置１００が第５の状態３０５である場合、インジケータ１６０を第３の色（橙色）で点灯させる。なお、制御部１５０は、録画処理が完了した場合、放送受信装置１００を第５の状態３０５から第２の状態３０２に戻す。
【００５８】
また、放送受信装置１００が第４の状態３０４であり、リモートコントローラ１６３から電源のＯＮ／ＯＦＦの操作信号が入力された場合、制御部１５０は、放送受信装置１００が第５の状態３０５になるように電源部１８０及び他の各部を制御する。この場合も、インジケータ制御部１５５は、インジケータ１６０を第３の色（橙色）で点灯させる。
【００５９】
また、放送受信装置１００が第５の状態３０５であり、リモートコントローラ１６３から電源のＯＮ／ＯＦＦの操作信号が入力された場合、制御部１５０は、放送受信装置１００が第４の状態３０４になるように電源部１８０及び他の各部を制御する。即ち、放送受信装置１００が第５の状態３０５であり、リモートコントローラ１６３の電源ボタンが押下された場合、制御部１５０は、放送受信装置１００を動作状態に移行させる。
【００６０】
また、放送受信装置１００が第３の状態３０３であり、予約録画の設定に従って録画処理を開始する場合、制御部１５０は、放送受信装置１００を第６の状態３０６に移行させる。インジケータ制御部１５５は、放送受信装置１００が第６の状態３０６である場合、インジケータ１６０を第３の色（橙色）で点灯させる。なお、制御部１５０は、録画処理が完了した場合、放送受信装置１００を第６の状態３０６から第３の状態３０３に戻す。
【００６１】
また、放送受信装置１００が第５の状態３０５であり、電源スイッチ１８１が押下された場合、制御部１５０は、放送受信装置１００が第６の状態３０６になるように電源部１８０及び他の各部を制御する。この場合も、インジケータ制御部１５５は、インジケータ１６０を第３の色（橙色）で点灯させる。
【００６２】
また、放送受信装置１００が第６の状態３０６であり、電源スイッチ１８１が押下された場合、または、リモートコントローラ１６３から電源のＯＮ／ＯＦＦの操作信号を受信した場合、制御部１５０は、放送受信装置１００が第４の状態３０４になるように電源部１８０及び他の各部を制御する。即ち、制御部１５０は、インジケータ１６０を第３の色で点灯させた状態で放送受信装置１００の電源をＯＮする操作信号が入力された場合、ディスプレイ１３４による表示を行わせるように電源部１８０を制御する。これにより、信号処理系、及び出力系に電力が供給され、放送受信装置１００は、ディスプレイ１３４による表示が可能な動作状態になる。
【００６３】
上記したように、放送受信装置１００のインジケータ制御部１５５は、放送受信装置１００が動作状態である場合、インジケータ１６０を第１の色で点灯させる。また、インジケータ制御部１５５は、放送受信装置１００が第１の待機状態であり、録画処理を行っていない場合、インジケータ１６０を第２の色で点灯させる。また、インジケータ制御部１５５は、放送受信装置１００が第２の待機状態である場合、インジケータ１６０を消灯させる。また、インジケータ制御部１５５は、放送受信装置１００が第１または第２の待機状態であり、且つ録画処理を行っている場合、インジケータ１６０を第３の色で点灯させる。
【００６４】
このように、放送受信装置１００は、１つのインジケータ１６０により放送受信装置１００の複数の状態を示すことができる。即ち、放送受信装置１００は、ディスプレイ１３４などの表示を行わない状態であっても、放送受信装置１００が録画処理中であることを１つのインジケータ１６０によりユーザに報知することができる。これにより、録画中に放送受信装置１００が録画処理中であることをユーザが認識できず、録画中に電源プラグが抜かれ録画処理が失敗することを防ぐことができる。この結果、低コストで利便性の高い電子機器、及び電子機器の制御方法を提供することができる。
【００６５】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６７】
１００…放送受信装置、１０１…本体、１０２…脚部、１１１…チューナ、１１２…復調部、１１３…信号処理部、１２１…音声処理部、１２２…スピーカ、１３１…映像処理部、１３３…表示処理部、１３４…ディスプレイ、１５０…制御部、１５１…ＣＰＵ、１５２…ＲＯＭ、１５３…ＲＡＭ、１５４…ＥＥＰＲＯＭ、１５５…インジケータ制御部、１６０…インジケータ、１６１…操作部、１６２…受光部、１６３…リモートコントローラ、１７０…ストレージ、１８０…電源部、１８１…電源スイッチ。
【図１】
2013223006.tif 000003
【図２】
2013223006.tif 000004
【図３】
2013223006.tif 000005